(57)【要約】【課題】アークを抑制するコネクタおよびコネクタ装置を提供する。【解決手段】固定接点２４３と、可動接点２３３と、筐体２１０，２２０と、スイッチ２６０と、第１カム２７２および第２カム２７３を有し回転自在に支持されるカム２７０と、可動接点２３３を動かすカード２８０と、を備え、コネクタに他のコネクタを挿入することにより、スイッチ２６０が他のコネクタに押されて移動し、第１カム２７２がスイッチ２６０に押されてカム２７０が回転し、カム２７０の回転により第２カム２７３がカード２８０を押し、カード２８０が可動接点２３３を動かして固定接点２４３と可動接点２３３とが接触する。【選択図】図７
2020095834.tif 000002
【特許請求の範囲】
【請求項１】
他のコネクタと接続されるコネクタであって、
固定接点と、
可動接点と、
前記他のコネクタを挿入する開口を有する筐体と、
前記他のコネクタの挿入方向に移動可能なスイッチと、
第１カムおよび第２カムを有し、回転自在に支持されるカムと、
前記可動接点を動かすカードと、を備え、
前記コネクタに前記他のコネクタを挿入することにより、
前記スイッチが前記他のコネクタに押されて移動し、前記第１カムが前記スイッチに押されて前記カムが回転し、前記カムの回転により前記第２カムが前記カードを押し、前記カードが前記可動接点を動かして前記固定接点と前記可動接点とが接触する
ことを特徴とするコネクタ。
【請求項２】
前記可動接点を前記固定接点から離間させる方向に前記カードを付勢するカードバネを備え、
前記コネクタより前記他のコネクタを引き抜くことにより、
前記スイッチと前記第１カムの係止が解除され、前記カードバネの復元力により前記カードが前記可動接点を動かして前記固定接点と前記可動接点とが離間する
ことを特徴とする請求項１に記載のコネクタ。
【請求項３】
前記第１カムは、第１突出部と第２突出部を有し、
前記コネクタに前記他のコネクタを挿入する際は、
前記第１突出部が前記スイッチに押されて前記カムが第１回転方向に回転し、
前記コネクタへの挿入が完了した状態において、
前記カードバネにより付勢された前記カードが前記第２カムを前記第１回転方向に回転させる向きに付勢するとともに、前記第２突出部が前記スイッチに接触して前記第１カムが前記スイッチに係止される
ことを特徴とする請求項２に記載のコネクタ。
【請求項４】
前記第１カムから離間させる方向に前記スイッチを付勢するスイッチバネを備える
ことを特徴とする請求項１乃至請求項３のいずれか１項に記載のコネクタ。
【請求項５】
請求項１乃至請求項４のいずれか１項に記載のコネクタと、
前記他のコネクタと、を備える
ことを特徴とするコネクタ装置。
【発明の詳細な説明】
【技術分野】
【０００１】
本発明は、コネクタ及びコネクタ装置に関する。
【背景技術】
【０００２】
一般的に電気機器は、コネクタを介し電源より供給される電力で動作する。特許文献１には、復帰バネにより瞬時にスイッチを遮断してアークを抑制するコネクタが開示されている。
【先行技術文献】
【特許文献】
【０００３】
【特許文献１】特開２０１７−１３０４２６号公報
【発明の概要】
【発明が解決しようとする課題】
【０００４】
特許文献１に開示されたコネクタでは、アークを抑制するために、プラグコネクタに差し込まれるジャックコネクタに、スイッチのロック状態を解除するロック解除溝などの機構を設ける必要があった。
【０００５】
本発明は、他のコネクタにロック解除の機構を設けることなくアークを抑制するコネクタおよびコネクタ装置を提供することを目的とするものである。
【課題を解決するための手段】
【０００６】
本実施の形態の一観点によれば、他のコネクタと接続されるコネクタであって、固定接点と、可動接点と、前記他のコネクタを挿入する開口を有する筐体と、前記他のコネクタの挿入方向に移動可能なスイッチと、第１カムおよび第２カムを有し、回転自在に支持されるカムと、前記可動接点を動かすカードと、を備え、前記コネクタに前記他のコネクタを挿入することにより、前記スイッチが前記他のコネクタに押されて移動し、前記第１カムが前記スイッチに押されて前記カムが回転し、前記カムの回転により前記第２カムが前記カードを押し、前記カードが前記可動接点を動かして前記固定接点と前記可動接点とが接触することを特徴とする。
【発明の効果】
【０００７】
本発明によれば、他のコネクタにロック解除の機構を設けることなくアークを抑制するコネクタおよびコネクタ装置を提供することができる。
【図面の簡単な説明】
【０００８】
【図１】ジャックコネクタの斜視図である。
【図２】プラグコネクタの斜視図である。
【図３】プラグコネクタの正面図である。
【図４】プラグコネクタの分解斜視図である。
【図５】プラグコネクタのＡ−Ａ断面図である。
【図６】プラグコネクタのＢ−Ｂ断面図である。
【図７】プラグコネクタのＣ−Ｃ断面図である。
【図８】スイッチの斜視図である。
【図９】カムの斜視図である。
【図１０】カードの斜視図である。
【図１１】ジャックコネクタ挿入前のプラグコネクタを示すＡ−Ａ断面斜視図である。
【図１２】ジャックコネクタ挿入前のプラグコネクタを示すＣ−Ｃ断面斜視図である。
【図１３】ジャックコネクタがスイッチに接触した状態を示すＡ−Ａ断面図である。
【図１４】ジャックコネクタがスイッチに接触した状態を示すＣ−Ｃ断面図である。
【図１５】スイッチが第１カムに接触した状態を示すＡ−Ａ断面図である。
【図１６】スイッチが第１カムに接触した状態を示すＢ−Ｂ断面図である。
【図１７】可動接点が固定接点に接触した状態を示すＡ−Ａ断面図である。
【図１８】可動接点が固定接点に接触した状態を示すＢ−Ｂ断面図である。
【図１９】可動接点が固定接点に接触した状態を示すＣ−Ｃ断面図である。
【図２０】突出部が回転中心よりも上側にきた状態を示すＡ−Ａ断面図である。
【図２１】突出部が回転中心よりも上側にきた状態を示すＢ−Ｂ断面図である。
【図２２】ジャックコネクタのプラグコネクタからのを引き抜き状態を示すＡ−Ａ断面図である。
【図２３】ジャックコネクタのプラグコネクタからのを引き抜き状態を示すＢ−Ｂ断面図である。
【図２４】抜去完了時の状態を示すＡ−Ａ断面図である。
【図２５】抜去完了時の状態を示すＢ−Ｂ断面図である。
【発明を実施するための形態】
【０００９】
以下、本発明を実施するための形態について、図面を参照しながら詳細に説明する。なお、各図において共通する部分には同一の符号を付し重複した説明を省略する。
【００１０】
≪コネクタの構造≫
本実施形態によるコネクタを説明する。本実施形態によるコネクタは、図１に示すジャックコネクタと接続されるプラグコネクタである。なお、本願では、ジャックコネクタとプラグコネクタとをあわせてコネクタまたはコネクタ装置と記載する場合もある。
【００１１】
＜ジャックコネクタ＞
ジャックコネクタ１００について図１を用いて説明する。図１はジャックコネクタ１００の斜視図である。
【００１２】
ジャックコネクタ１００は筐体１１０を有する。筐体１１０のプラグコネクタ２００に差し込まれる側の接触面１１１には、プラグコネクタ２００のプラグ端子が入り込み、内部に不図示のジャック端子を備える開口１２１、１２２、１２３が設けられている。また、筐体１１０には、電力供給のための電源ケーブル１３０が接続されている。
【００１３】
＜プラグコネクタ＞
本実施形態によるプラグコネクタ２００を図２から図７を用いて説明する。図２はプラグコネクタ２００の斜視図である。図３はプラグコネクタ２００の正面図である。図４はプラグコネクタ２００の分解斜視図である。図５はプラグコネクタ２００のＡ−Ａ断面図である。図６はプラグコネクタ２００のＢ−Ｂ断面図である。図７はプラグコネクタ２００のＣ−Ｃ断面図である。なお、以下の説明において、ジャックコネクタ１００を挿入する向きを後方向、抜去する向きを前方向とし、図３に示す正面図の上下方向、左右方向であるものとして説明する。
【００１４】
プラグコネクタ２００は、前筐体２１０と、後筐体２２０と、プラグ端子モジュール２３０，２３０Ａと、出力端子モジュール２４０，２４０Ａと、プラグ端子モジュール２５０と、スイッチ２６０と、カム２７０と、カード２８０と、スイッチバネ２９０と、カードバネ２９５と、永久磁石３００，３００Ａとを備えている。
【００１５】
前筐体２１０と後筐体２２０はプラグコネクタ２００の筐体を構成する。以下、前筐体２１０と後筐体２２０を「筐体」と総称する。前筐体２１０の前側には、ジャックコネクタ１００を挿入する開口２１１が形成されている。
【００１６】
プラグ端子モジュール２３０は金属等の導電性材料により形成され、図７に示すようにプラグ端子２３１と、バネ２３２と、可動接点２３３とを有している。プラグ端子２３１は筐体に固定され、その一端が開口２１１内に配置される。バネ２３２は板バネであり、その一端がプラグ端子２３１の他端に固定され、他端には可動接点２３３が設けられている。バネ２３２は、カード２８０の前支持部２８２により前方向から支持され、カード２８０の後支持部２８３により後方向から支持されている。
【００１７】
出力端子モジュール２４０は金属等の導電性材料により形成され、図７に示すように出力端子２４１と、バネ２４２と、固定接点２４３とを有している。出力端子２４１は後筐体２２０に固定され、その一端が後筐体２２０から後方に突出し、他端が筐体の内部空間に配置される。バネ２４２は板バネであり、その一端が出力端子２４１の他端に固定され、他端には固定接点２４３が設けられている。バネ２４２は、後筐体２２０の支持部２２１により後方向から支持されている。
【００１８】
図４に示すプラグ端子モジュール２３０Ａと出力端子モジュール２４０Ａは、プラグ端子モジュール２３０および出力端子モジュール２４０と同様の構成を有し、重複する説明を省略する。
【００１９】
図５に示すプラグ端子モジュール２５０は金属等の導電性材料により形成され、プラグ端子２５１と、出力端子２５２とを有している。プラグ端子２５１の一端が開口２１１内部に配置され、出力端子２５２の一端が後筐体２２０から後方に突出している。
【００２０】
プラグコネクタ２００は、図３に示すように開口２１１の内部にプラグ端子２３１，２３１Ａ，２５１を有し、後方側に出力端子２４１，２４１Ａ，２５２を有している。図７に示す可動接点２３３と固定接点２４３の接触・非接触を切り替えることにより、プラグ端子２３１と出力端子２４１との接続を切り替えることができる。同様に、プラグ端子モジュール２３０Ａの可動接点２３３Ａと出力端子モジュール２４０Ａの固定接点２４３Ａの接触・非接触を切り替えることにより、プラグ端子２３１Ａと出力端子２４１Ａとの接続を切り替えることができる。なお、プラグ端子２５１はグランド端子として用いられる。また、プラグ端子２５１は、プラグ端子２３１，２３１Ａよりも前側に長く形成されている。これにより、ジャックコネクタ１００をプラグコネクタ２００に挿入した際、プラグ端子２３１，２３１Ａよりも先にプラグ端子２５１がジャック端子と接続する。
【００２１】
図７に示すように、可動接点２３３と固定接点２４３との接触位置の近傍には永久磁石３００が設けられる。可動接点２３３と固定接点２４３との間で発生するアークを磁界により飛ばすように、アークの発生方向に対して垂直方向の磁界を発生させるように永久磁石３００が配置される。同様に、可動接点２３３Ａと固定接点２４３Ａとの接触位置の近傍には永久磁石３００Ａが設けられる。
【００２２】
図８は、スイッチ２６０の斜視図である。スイッチ２６０の前面にはジャックコネクタ１００と接触する接触面２６１が形成されている。スイッチ２６０の後方上面には、後述する第１カム２７２を係止する係止面２６２が形成されている。また、係止面２６２の後端は後述する第１カム２７２と当接する当接部２６３となる。
【００２３】
図３から図５に示すように、開口２１１の後側の底面２１２を貫通し、開口２１１の下側を掘り下げた切欠き２１３が形成されている。スイッチ２６０は、底面２１２の後方側から切欠き２１３を通り、スイッチ２６０の上部前面側が開口２１１の内部に入り込んで配置されており、前後方向に移動可能に構成されている。また、スイッチ２６０後方と後筐体２２０との間にはスイッチバネ２９０が配置されており、スイッチ２６０はスイッチバネ２９０により前方向に付勢されている。
【００２４】
図９は、カム２７０の斜視図である。カム２７０は、軸２７１と第１カム２７２と第２カム２７３とを有している。第１カム２７２はカム２７０の略中央に設けられ、回転軸方向にみて角丸の三角形状を有している。第２カム２７３はカム２７０の左右にそれぞれ設けられ、回転軸方向にみて角丸の三角形状を有している。第２カム２７３は、第１カム２７２に対して逆三角形となるように配置され、第１カム２７２よりも大きな三角形で形成されている。第１カム２７２および第２カム２７３の形状は、三角形以外の多角形であってもよい。
【００２５】
図５から図７に示すようにカム２７０は筐体の内部に配置され、軸２７１の両端が図４に示す後筐体２２０の軸穴２２２に挿入して支持されており、回転自在となっている。
【００２６】
図１０は、カード２８０の斜視図である。カード２８０の前面左右端には、第２カム２７３と接触する接触面２８１が設けられている。接触面２８１は、上になるほど前側に出るように傾斜している。なお、接触面２８１の形状はこれに限られるものではなく、例えば傾斜しない平坦な面であってもよい。また、図７および図１０に示すように、カード２８０は前支持部２８２および後支持部２８３を有しており、可動接点２３３を有するバネ２３２を前後から支持して係合する。カード２８０が後方に移動すると、前支持部２８２がバネ２３２を後方に向けて押し、可動接点２３３を固定接点２４３へと近づけ接触させる。また、カード２８０が前方に移動すると、後支持部２８３がバネ２３２を前方に向けて押し、可動接点２３３を固定接点２４３から離間させる。前支持部２８２および後支持部２８３は、プラグ端子モジュール２３０，２３０Ａに対応するように左右にそれぞれ設けられている。
【００２７】
図５から図７に示すように、カード２８０は筐体内に配置され、前後方向に移動可能に構成されている。また、図５に示すように、カード２８０と後筐体２２０との間には押しばねであるカードバネ２９５が配置されており、カード２８０はカードバネ２９５により前方向に付勢されている。
【００２８】
＜コネクタ装置の接続＞
次にプラグコネクタ２００にジャックコネクタ１００を挿入する動作について説明する。
【００２９】
図１１および図１２は、ジャックコネクタ１００挿入前のプラグコネクタ２００を示す断面図である。図１１はＡ−Ａ断面斜視図である。図１２はＣ−Ｃ断面斜視図である。
【００３０】
ジャックコネクタ１００は、開口１２１，１２２，１２３内に設けられたジャック端子１５１，１５２，１５３を備えている。なお、ジャックコネクタ１００は模式的に図示しており、内部の構造や電源ケーブル１３０を省略して図示している。
【００３１】
図５および図１１に示すように、スイッチ２６０はスイッチバネ２９０により前方向に付勢され、前側の初期位置にきている。また、カード２８０はカードバネ２９５により前方向に付勢され、前側の初期位置にきている。カード２８０が初期位置にいることにより、図７および図１２に示すように、バネ２３２が後支持部２８３により後方から押され、可動接点２３３と固定接点２４３とは離間した状態となっている。また、図６に示すように第２カム２７３の図示上端の突出部は接触面２８１と接触しており、図５および図１１に示すように第１カム２７２の第１突出部２７２ａの先端が係止面２６２よりも下に来る。
【００３２】
図１３および図１４は、ジャックコネクタ１００をプラグコネクタ２００に挿入して、ジャックコネクタ１００がスイッチ２６０に接触した状態を示す断面図である。図１３の（ａ）はＡ−Ａ断面図、（ｂ）はＡ−Ａ断面斜視図である。図１４の（ａ）はＣ−Ｃ断面図、（ｂ）はＣ−Ｃ断面斜視図である。
【００３３】
図１３に示すように、ジャックコネクタ１００をプラグコネクタ２００に挿入すると、接触面１１１が接触面２６１に接触する。図１３では、ジャック端子１５１はプラグ端子２５１と接触する。図１４では、ジャック端子１５２はプラグ端子２３１と接触する。同様に、ジャック端子１５３はプラグ端子２３１Ａと接触する。一方、図１３に示すように、第１カム２７２はスイッチ２６０と接触しておらずカム２７０は初期状態を維持している。また、カード２８０も初期状態を維持している。そのため、図１４に示すように、可動接点２３３と固定接点２４３とは離間した状態であり、出力端子２４１とジャック端子１５２とは導通していない。なお、ジャック端子１５２はプラグ端子２３１と、ジャック端子１５３はプラグ端子２３１Ａとこの時点で接触する。この後、スイッチバネ２９０の付勢力に抗してジャックコネクタ１００をさらに挿入することにより、スイッチ２６０が後退する。
【００３４】
図１５および図１６は、図１３の状態からジャックコネクタ１００をプラグコネクタ２００にさらに押し込み、スイッチ２６０が第１カム２７２に接触した状態を示す断面図である。図１５の（ａ）はＡ−Ａ断面図、（ｂ）はＡ−Ａ断面斜視図である。図１６の（ａ）はＢ−Ｂ断面図、（ｂ）はＢ−Ｂ断面斜視図である。
【００３５】
図１３から図１５の状態にジャックコネクタ１００をプラグコネクタ２００に押し込むことで、接触面１１１により押されたスイッチ２６０が後方に移動する。この動作によって、図１５に示すように、第１突出部２７２ａがスイッチ２６０の後端の当接部２６３と接触する。この後、ジャックコネクタ１００をさらに押し込むことによりスイッチ２６０が更に後退し、当接部２６３に押された第１カム２７２が図示反時計回りに回転する。第１カム２７２が回転することにより第２カム２７３も反時計回りに回転し、図１６では第２カム２７３の図示下側に位置する突出部２７３ａが接触面２８１に接触する。突出部２７３ａが接触面２８１と接触することによって、カム２７０の回転に応じてカード２８０が後方に押し込まれる。なお、図１５の状態ではカード２８０がまだ押されておらず、Ｃ−Ｃ断面図は図１４と同様であり可動接点２３３と固定接点２４３とは離間した状態である。
【００３６】
カードバネ２９５は、前向きに押し出す方向にカード２８０を付勢する。そのため、接触面２８１に接触する突出部２７３ａを前側に押し戻し、第２カム２７３を時計回りに回転させる向きにカム２７０に力が加わる。
【００３７】
図１７から図１９は、図１５の状態からジャックコネクタ１００をプラグコネクタ２００にさらに押し込み、可動接点２３３が固定接点２４３に接触した状態を示す断面図である。図１７の（ａ）はＡ−Ａ断面図、（ｂ）はＡ−Ａ断面斜視図である。図１８の（ａ）はＢ−Ｂ断面図、（ｂ）はＢ−Ｂ断面斜視図である。図１９の（ａ）はＣ−Ｃ断面図、（ｂ）はＣ−Ｃ断面斜視図である。
【００３８】
図１５の状態からジャックコネクタ１００をさらに押し込むことにより、図１７に示すようにスイッチ２６０が後方に更に押し込まれ、第１カム２７２が反時計回りに回転する。そのため、図１８に示すように第２カム２７３も更に反時計回りに回転して、突出部２７３ａがカード２８０を押す。この動作によって、カード２８０が図１６の状態から後退する。そして、図１９に示すように、カード２８０の後退により前支持部２８２がバネ２３２を後方へと押して、可動接点２３３が固定接点２４３と接触する。なお、この時点でも、カードバネ２９５の付勢力によりカード２８０が前方に付勢されており、突出部２７３ａを前側へと押し戻してカム２７０を時計回りに回転させる向きに第２カム２７３を押圧する。
【００３９】
図２０および図２１は、図１７の状態からジャックコネクタ１００をプラグコネクタ２００にさらに押し込み、突出部２７３ａがカム２７０の回転中心よりも上側にきた状態を示す断面図である。図２０の（ａ）はＡ−Ａ断面図、（ｂ）はＡ−Ａ断面斜視図である。図２１の（ａ）はＢ−Ｂ断面図、（ｂ）はＢ−Ｂ断面斜視図である。
【００４０】
図１７の状態からジャックコネクタ１００をさらに押し込むことにより、スイッチ２６０に押された第１カム２７２が更に反時計回りに回転する。そのため、図２１に示すように第２カム２７３も更に回転して突出部２７３ａがカム２７０の回転中心よりも上側に来る。一方、第１カム２７２は少なくとも第２突出部２７２ｂが係止面２６２に接する。
【００４１】
カードバネ２９５により付勢されるカード２８０は、接触面２８１に接触している突出部２７３ａを前側に押そうとするが、図２１に示すように突出部２７３ａがカム２７０の回転中心よりも上に来ているため、図１８の状態とは逆に、第２カム２７３には反時計回りに回転する向きに力が加わる。一方、図２０ではスイッチ２６０が第１カム２７２の下に入り込み、少なくとも第２突出部２７２ｂが係止面２６２に接触しているため、第２カム２７３に力が加わっても係止面２６２によって第１カム２７２の反時計回りの回転が規制される。カム２７０の回転が規制されることでカム２７０およびカード２８０がロックされた状態となり、Ｃ−Ｃ断面図は図１９と同様であり可動接点２３３と固定接点２４３とは接触した状態を維持する。この状態で、ジャックコネクタのプラグコネクタへの挿入が完了する。
【００４２】
プラグコネクタ２００からジャックコネクタ１００を抜去する際の動作について説明する。
【００４３】
図２２および図２３は、ジャックコネクタ１００のプラグコネクタ２００からの引き抜き状態を示す断面図である。図２２の（ａ）はＡ−Ａ断面図、（ｂ）はＡ−Ａ断面斜視図である。図２３の（ａ）はＢ−Ｂ断面図、（ｂ）はＢ−Ｂ断面斜視図である。
【００４４】
図２３に示すように、カードバネ２９５により付勢されているカード２８０によって突出部２７３ａが前方に押されるため、カム２７０には反時計回りに回転する向きに力が加わっている。一方、図２２では第２突出部２７２ｂが係止面２６２に接触した状態が維持されているため、カム２７０は図２０の状態を維持している。そのため、カード２８０もジャックコネクタ１００の挿入完了時の位置から動かず、Ｃ−Ｃ断面図は図１９と同様であり可動接点２３３と固定接点２４３が接触した状態が維持される。
【００４５】
図２４および図２５は、抜去完了時の状態を示す断面図である。図２４の（ａ）はＡ−Ａ断面図、（ｂ）はＡ−Ａ断面斜視図である。図２５の（ａ）はＢ−Ｂ断面図、（ｂ）はＢ−Ｂ断面斜視図である。
【００４６】
図２２の状態からジャックコネクタ１００をさらに引き抜くと、スイッチバネ２９０の力によりスイッチ２６０が図２２の状態から前進する。そのため、第２突出部２７２ｂと係止面２６２との係止が解除され、カム２７０の回動が規制された状態が解除される。カム２７０が反時計回りに回転可能となるため、カードバネ２９５の復元力により突出部２７３ａによって押さえられていたカード２８０が前方向へと移動する。この際、第２突出部２７２ｂが係止面２６２の後端の角から外れた瞬間に、カードバネ２９５の付勢力によってカード２８０が勢いよく移動するので、後支持部２８３がバネ２３２を前方へと押して可動接点２３３が固定接点２４３から瞬間的に離間する。
【００４７】
ジャックコネクタ１００がプラグコネクタ２００から抜去された状態では、スイッチ２６０、カード２８０およびカム２７０は初期状態に復帰している。
【００４８】
なお、図２４および図２５ではジャック端子１５１，１５２，１５３は、プラグ端子２５１，２３１，２３１Ａと接触している。しかし、プラグ端子２３１，２３１Ａからのジャック端子１５２、１５３の離間に先立って可動接点２３３が固定接点２４３から離間するため、図２４および図２５の状態ではジャック端子１５２、１５３とプラグ端子２３１，２３１Ａとは通電していない。この後、ジャック端子１５２、１５３がプラグ端子２３１，２３１Ａから離間しても、ジャック端子１５２、１５３とプラグ端子２３１，２３１Ａとの間にはアークが発生しない。
【００４９】
一方、カードバネ２９５によって付勢されているカード２８０の移動によって可動接点２３３が固定接点２４３から瞬間的に離間するため、離間する接点間にアークが発生してもその影響を低減できる。さらに、永久磁石３００によってアークを飛ばすことができるため、この構成によってアークの影響を更に効果的に低減できる。
【００５０】
ジャックコネクタ１００をさらに引き抜くことにより、図１１および図１２に示す状態へと戻り、プラグコネクタ２００からジャックコネクタ１００を抜去する工程は完了する。
【００５１】
以上、本実施形態に係るコネクタによれば、ジャックコネクタ１００をプラグコネクタ２００から抜去する際、ジャックコネクタ１００をゆっくりと引き抜いたとしても、第２突出部２７２ｂと係止面２６２との係止が解除された時点で、カードバネ２９５の復元力によりカード２８０を前に素早く移動させることができ、その結果可動接点２３３と固定接点２４３が瞬間的に離間する。そのため、可動接点２３３と固定接点２４３との間におけるアークを抑制することができる。また、本実施形態のコネクタ装置では、ジャックコネクタ１００にロック解除のための機構を設けることなく、アークを抑制することができる。
【００５２】
また、本実施形態に係るコネクタは、半導体や複雑な機械機構を用いていないため、少ない部品点数で安価に構成することができる。また、複雑な機構を要しないので、信頼性を向上させることができる。
【００５３】
ジャックコネクタ１００の挿入完了時は、図２０に示すように第１カム２７２の１つの面が係止面２６２に当接しているために、図２１に示すように突起部２７３ａがカム２７０の回転中心より上側に位置している。突起部２７３ａは、突起部２７３ａとカム２７０の回転中心との上下方向の位置が同じときに最も後方に位置しており、カム２７０の回転に伴って突起部２７３ａは前方に移動するが、接触面２８１は上になるほど前側に出るように傾斜しているため、図２１に示すジャックコネクタ１００の挿入完了時に、突起部２７３ａによって押圧されるカード２８０が最も後方に位置する。
【００５４】
これにより、接触面２８１が傾斜しない平坦な面である場合と比較して、図６に示す挿入前と図２１に示す挿入完了時とのカード２８０の前後方向の移動量が大きくなる。バネ２３２は前支持部２８２および後支持部２８３によって前後から挟まれており、カード２８０の前後方向の移動量が大きくなることで可動接点２３３の移動量も大きくなる。このため、プラグコネクタ２００からジャックコネクタ１００を引き抜き第２突出部２７２ｂと係止面２６２との係止が解除され可動接点２３３が固定接点２４３から離間する際、可動接点２３３と固定接点２４３の離間距離を長くして、通電を確実に遮断できる。
【００５５】
また、第１カム２７２、第２カム２７３の形状は、三角形であってもよく、多角形であってもよいとして説明した。多角形の角数が増えるほど形状は円に近づくため、突出部がカード２８０を押している時と押していない時とのカード２８０の移動量も小さくなる。このため、第１カム２７２、第２カム２７３の形状は、三角形の方がより好ましい。
【００５６】
以上、本発明の実施に係る形態について説明したが、上記内容は、発明の内容を限定するものではない。
【符号の説明】
【００５７】
２００          プラグコネクタ
２１０          前筐体（筐体）
２１１          開口
２２０          後筐体（筐体）
２２１          支持部
２３１、２５１  プラグ端子
２３２、２４２  バネ
２３３          可動接点
２４１、２５２  出力端子
２４３          固定接点
２６０          スイッチ
２６１          接触面
２６２          係止面
２７０          カム
２７１          軸
２７２          第１カム
２７２ａ        第１突出部
２７２ｂ        第２突出部
２７３          第２カム
２７３ａ        突出部
２８０          カード
２８１          接触面
２８２          前支持部
２８３          後支持部
２９０          スイッチバネ
２９５          カードバネ
【図１】
2020095834.tif 000003
【図２】
2020095834.tif 000004
【図３】
2020095834.tif 000005
【図４】
2020095834.tif 000006
【図５】
2020095834.tif 000007
【図６】
2020095834.tif 000008
【図７】
2020095834.tif 000009
【図８】
2020095834.tif 000010
【図９】
2020095834.tif 000011
【図１０】
2020095834.tif 000012
【図１１】
2020095834.tif 000013
【図１２】
2020095834.tif 000014
【図１３】
2020095834.tif 000015
【図１４】
2020095834.tif 000016
【図１５】
2020095834.tif 000017
【図１６】
2020095834.tif 000018
【図１７】
2020095834.tif 000019
【図１８】
2020095834.tif 000020
【図１９】
2020095834.tif 000021
【図２０】
2020095834.tif 000022
【図２１】
2020095834.tif 000023
【図２２】
2020095834.tif 000024
【図２３】
2020095834.tif 000025
【図２４】
2020095834.tif 000026
【図２５】
2020095834.tif 000027